(57)【要約】【課題】  着用することで効率的にペットの体温上昇を抑制できるとともに、着用時においても飼い主が吸水状態を視覚的に判断でき、再度の給水を容易に行いうる利便性に優れたペット用衣類を提供する。【解決手段】  布帛中の水が蒸発する際の気化熱による吸熱効果を利用した涼感性布帛２１で形成された衣類２に、水の有無を視覚的に表示する水分インジケーター３を設けてなるペット用衣類１。前記水分インジケーター３が、低屈折率顔料をバインダー樹脂に分散状態に固着させた非吸液状態で不透明であり吸液状態で透明化する多孔質層３１が支持体２１上に設けられる可逆変色体である。【選択図】  図１
0003209736.tif 000002
【実用新案登録請求の範囲】
【請求項１】
布帛中の水が蒸発する際の気化熱による吸熱効果を利用した涼感性布帛で形成された衣類に、水の有無を視覚的に表示する水分インジケーターを設けてなるペット用衣類。
【請求項２】
前記水分インジケーターが、低屈折率顔料をバインダー樹脂に分散状態に固着させた非吸液状態で不透明であり吸液状態で透明化する多孔質層が支持体上に設けられる可逆変色体である請求項１記載のペット用衣類。
【請求項３】
前記水分インジケーターが、衣類に着脱可能に設けられている請求項１又は２に記載のペット用衣類。
【請求項４】
前記涼感性布帛が、異形断面形状及び／又は芯鞘構造の繊維からなる請求項１記載のペット用衣類。
【考案の詳細な説明】
【技術分野】
【０００１】
本考案はペット用衣類に関する。詳細には、涼感性布帛を用いたペット用衣類に関する。
【背景技術】
【０００２】
従来、ペットにファッション性や、防雨、防寒、冷却等の耐環境性を付与することを目的としたペット用衣類が広く用いられており、特に、夏場の暑さ対策として用いられるペット用の衣服がいくつか開示されている（例えば、特許文献１，２参照）。
前記ペット用衣服は、体毛が長く暑さに弱いにもかかわらず低位置で歩行するため、散歩時にアスファルトの輻射熱の影響を受け易いペットの体温上昇を防ぐことができるものであり、スポンジからなる冷却層が衣服裏面に設けられている。前記冷却層に飼い主が水を供給した後、衣服をペットに着せることで、気化熱を利用して冷却機能を発揮するため、ペットの体温上昇を抑制して体調の維持管理を行うことができるものである。
【先行技術文献】
【特許文献】
【０００３】
【特許文献１】特許第３７７１５７１号公報
【特許文献２】実用新案登録第３１１５２５８号公報
【考案の概要】
【考案が解決しようとする課題】
【０００４】
しかしながら、前記冷却層に供給した水は、ペットの体温や、湿度、温度、日照量等の環境条件によって水分蒸発時間が一定ではなく、更に冷却層が衣服裏面に設けられているため、飼い主が冷却層への再供給時期を判断できず、水分蒸発後も衣服を着せたままになってしまうことがある。この場合には、反ってペットの体温上昇を促進してしまうため、体調を悪化させる虞がある。
本考案は、この種のペット用衣服の問題点を解消するものであって、着用することで効率的にペットの体温上昇を抑制できるとともに、着用時においても飼い主が吸水状態を視覚的に判断でき、再度の給水を容易に行いうる利便性に優れたペット用衣類を提供するものである。
【課題を解決するための手段】
【０００５】
本考案は、布帛中の水が蒸発する際の気化熱による吸熱効果を利用した涼感性布帛で形成された衣類に、水の有無を視覚的に表示する水分インジケーターを設けてなるペット用衣類を要件とする。
更に、前記水分インジケーターが、低屈折率顔料をバインダー樹脂に分散状態に固着させた非吸液状態で不透明であり吸液状態で透明化する多孔質層が支持体上に設けられる可逆変色体であること、前記水分インジケーターが、衣類に着脱可能に設けられていることを要件とする。
更には、前記涼感性布帛が、異形断面形状及び／又は芯鞘構造の繊維からなることを要件とする。
特に、前記涼感性布帛を構成する繊維が、周期律第４族に属する遷移金属の炭化物微粒子、酸化アンチモンをドーピングした酸化第二スズからなる白色系微粒子、酸化アンチモンをドーピングした酸化第二スズを他の無機微粒子にコーティングしてなる白色系微粒子のいずれかを含有する合成繊維であることが好ましい。
【考案の効果】
【０００６】
本考案により、着用することで容易且つ安価にペットの体温上昇を抑制できるとともに、着用状態のままで飼い主が水の有無を視覚的に判断して冷却機能の低下を関知でき、水の再供給ができるので、常に涼感効果を維持することができる、利便性に優れた涼感性ペット用衣類を提供するものである。
【図面の簡単な説明】
【０００７】
【図１】本考案の衣服形態の一例（ベスト）を示す外観図である。
【図２】衣服形態の他の一例（水分インジケーター分離状態）を示す外観図である。
【図３】バンダナ形態の一例を示す外観図である。
【考案を実施するための形態】
【０００８】
前記ペット用衣類を形成する涼感性布帛は、布帛中の水が蒸発する際の気化熱による吸熱効果を利用することで、着用するペットに涼感を与えることができるものである。
前記涼感性布帛は、前述の効果を発現する繊維から構成されるが、該繊維としては、水を容易且つ速やかに吸収して大気中に素早く拡散することができる吸水・速乾性を備えたものである。
具体的には、異形断面状に形成されたものや、二種類の異素材を芯鞘構造とした繊維が用いられ、特に、前記形状、構造を意図的に形成できることから合成繊維が有用となる。更に、遠赤外線を発する微粒子を含有させた合成繊維を用いることもできる。
【０００９】
前記合成繊維としては、例えば、ポリエチレンテレフタレート、ポリプロピレンテレフタレート、ポリブチレンテレフタレート、ポリ乳酸等のポリエステル（変性ポリエステル）、ナイロン（変性ナイロン）等のポリアミド系繊維、セルロース（レーヨン、テンセル等の高重合度レーヨン、コットンリンターを原料とするものを含む）、アセテート（トリアセテート、ジアセテート、それらの複合繊維を含む）、ポリエチレン、ポリプロピレン等のポリオレフィン系繊維、ポリアクリロニトリル系繊維、ポリビニルアルコール系繊維、ポリ塩化ビニル系繊維等が挙げられ、単独又は二種以上を混合（混繊）して用いられる。
【００１０】
前記異形断面形状では、円形断面に比べて繊維の表面積が大きくなるとともに、ペットに直接接触する部分が小さくなるため、供給した水の吸水・速乾性が高く発現される。前記形状としては、例えば、三角型、四角型、五角型、扁平型、くさび型、アルファベットのＣ型、Ｈ型、Ｗ型、菊型やクローバー型等の多葉型形状等が挙げられる。
【００１１】
前記異形断面合成繊維の具体例としては、断面が菊型と呼ばれる特異な多葉型形状を有するアセテート繊維が挙げられ、前記形状は、丸孔から紡出された紡糸原液では、吐出直後は円形断面を有しているが、表層からの急速な溶剤蒸発により繊維表層にスキン層が形成され、その後繊維内部の溶剤蒸発により繊維断面方向にスキン層が陥没して多葉型断面が形成されることで得られるものである。
【００１２】
前記芯鞘構造とした繊維では、芯部に疎水性繊維を用いるとともに、鞘部に親水性繊維を用いることで、鞘部の繊維が水を素早く吸収し、芯部の繊維が水を拡散させることで吸水・速乾性を付与して気化熱を効率的に発生させ、涼感性を発現する。
【００１３】
前記芯鞘構造の合成繊維の具体例としては、芯部がポリエチレンテレフタレート、鞘部がエチレンの共重合割合が２５〜７０モル％であるエチレン−ビニルアルコール系共重合体からなる繊維であって、エチレンビニルアルコール系共重合体の比率が５０重量％以上９０重量％以下である繊維が挙げられる。
【００１４】
更に、涼感性を付与するために、繊維中に遠赤外線を発する微粒子を含有させることで、水分をより効率的に気化させ、高い涼感性を発現するものも適用できる。
前記微粒子としては、周期律第４族に属する遷移金属の炭化物微粒子、酸化アンチモンをドーピングした酸化第二スズからなる白色系微粒子、酸化アンチモンをドーピングした酸化第二スズを他の無機微粒子（酸化チタンや炭酸カルシウム等）にコーティングしてなる白色系微粒子等が例示でき、特に、合成繊維中に０．３〜１２質量％含有させることが好ましい。
この場合、前記微粒子を含む合成繊維とともに吸水拡散繊維を併用することや、形状を前述した異形断面とすることで、布帛内に多くの水を素早く吸収して拡散できるため、水分気化を一層促進することが可能となる。
【００１５】
前記吸水拡散繊維としては、水分を速やかに吸収・拡散しうる繊維であればどのようなものでもよいが、例えば、吸水拡散性能に優れる繊維形成性ポリマーからなる繊維や毛細管現象により水分を拡散移動しうる繊維等が挙げられる。特に後者においては、異形断面繊維が好ましく、例えば、三角型、四角型、五角型、扁平型、くさび型又はアルファベットを象ったＣ型、Ｈ型、Ｉ型、Ｗ型等の形状のものが使用できる。尚、スリット、凹凸、微多孔等を有する丸断面形状も異形断面繊維に含まれる。
【００１６】
前記微粒子を含む涼感性布帛の具体的な構成としては、微粒子とポリエチレンテレフタレートを溶融混練した材料を芯部とし、ポリエチレンテレフタレートを鞘部として三葉断面用の紡糸ノズルで溶融紡糸することで得られる異形断面芯鞘構造の合成繊維が挙げられる。
【００１７】
前記涼感性布帛はそれ自体を裁断、縫製することでペット用衣類を形成できるため、従来衣類に取り付けることで用いられていたスポンジやフェルト等の弾性吸水体に比べてデザイン等の自由度が向上し、衣類全体に涼感性を付与することが可能となる。
前記ペット用衣類としては、ジャケット、コート、パーカー、チョッキ、ベスト、ブレザー、ジャンパー、トレーナー、ワンピース、ドレス、タンクトップ、サロペット、ロンパース、カバーオール、カーディガン、セーター、和服、シャツ、ブラウス、スカート、ズボン、バンダナ、マフラー、スカーフ、ショール、ストール、マント、手袋、帽子、耳あて、靴下、靴等が挙げられる。
【００１８】
前記ペット用衣類には、衣類（涼感性布帛）の濡れ具合（水の有無）を視覚的に確認することができる水分インジケーターが設けられる。そのため、飼い主が水の有無を確実に判断でき、適宜水を衣類に再供給できるようになる。
前記水分インジケーターは、ペット着用時に飼い主が視認可能な位置に配置され、衣類に対して直接設けられる他、別体として構成したものを取り付けることで設けられる。特に、ペットが動いた際に顔や尻尾等に接触しない場所に設けることが好ましい。また、水分インジケーターの変化は、涼感性布帛の水分蒸発速度と略一致するように構成されることが好ましい。
【００１９】
前記水分インジケーターとしては、水の有無により色やデザイン等の様相が変化するものであればどのようなものでも適用できるが、繰り返しの使用が容易であり、多彩なデザインを安価に製造できることから、低屈折率顔料をバインダー樹脂に分散状態に固着させた非吸液状態で不透明であり吸液状態で透明化する多孔質層を支持体上に表示部として設けた可逆変色体が好適である。
【００２０】
前記多孔質層は、低屈折率顔料をバインダー樹脂と共に分散状態に固着させた層であり、液体の付着によって透明化するものである。
前記低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、液状組成物を吸液すると良好な透明性を示すものである。
尚、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
前記低屈折率顔料の粒径は特に限定されるものではないが、０．０３〜１０．０μｍのものが好適に用いられる。
また、前記低屈折率顔料は二種以上を併用することもできる。
尚、好適に用いられる低屈折率顔料としては珪酸が挙げられる。
前記珪酸は、乾式法により製造させる珪酸であってもよいが、湿式法により製造される珪酸（以下、湿式法珪酸と称する）が特に効果的であり、実用性を満たす。
この点を以下に説明する。
珪酸は非晶質の無定形珪酸として製造され、その製造方法により、四塩化ケイ素等のハロゲン化ケイ素の熱分解等の気相反応を用いる乾式法によるもの（以下、乾式法珪酸と称する）と、ケイ酸ナトリウム等の酸による分解等の液相反応を用いる湿式法によるものとに大別されるが、本考案の意図する多孔質層として機能させるためには、湿式法珪酸が最適である。
これは、乾式法珪酸と湿式法珪酸とでは構造が異なり、前記乾式法珪酸は珪酸が密に結合した三次元構造を形成するのに対して、湿式法珪酸は、珪酸が縮合して長い分子配列を形成した、所謂、二次元構造部分を有している。
従って、前記乾式法珪酸と比較して分子構造が粗になるため、湿式法珪酸を多孔質層に適用した場合、乾式法珪酸を用いる系と比較して乾燥状態における光の乱反射性に優れ、よって、常態での隠蔽性が大きくなるものと推察される。
尚、前記多孔質層の常態での隠蔽性と吸液状態での透明性を調整するために、湿式法珪酸と共に、他の汎用の低屈折率顔料を併用することもできる。
【００２１】
前記多孔質層中の湿式法珪酸は、粒子径、比表面積、吸油量等の性状に左右されるが、常態での隠蔽性と吸液状態での透明性を共に満足するためには、塗布量が１ｇ／ｍ２〜３０ｇ／ｍ２であることが好ましく、より好ましくは、５ｇ／ｍ２〜２０ｇ／ｍ２である。１ｇ／ｍ２未満では、常態で十分な隠蔽性を得ることが困難であり、また、３０ｇ／ｍ２を越えると吸液時に十分な透明性を得ることが困難である。
前記珪酸の粒径は特に限定されるものではないが、０．０３〜１０．０μｍのものが好適に用いられる。
【００２２】
前記珪酸等の低屈折率顔料はバインダー樹脂を結合剤として含むビヒクル中に分散され、基材に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
前記珪酸とこれらのバインダー樹脂の混合比率は、珪酸の種類及び性状に左右されるが、好ましくは、珪酸１重量部に対してバインダー樹脂固形分０．５〜２重量部であり、より好ましくは、０．８〜１．５重量部である。珪酸１重量部に対してバインダー樹脂固形分が０．５重量部未満の場合には、前記多孔質層の実用的な皮膜強度を得ることが困難であり、２重量部を越える場合には、前記多孔質層内部への浸透性が悪くなる。
前記多孔質層は、従来公知の一般的な塗膜と比較して着色剤に対するバインダー樹脂の混合比率が小さいため、十分な皮膜強度が得られ難い。そこで、耐擦過強度を高めるために、前記のバインダー樹脂のうち、ナイロン樹脂又はウレタン系樹脂を用いると効果的である。その際、ナイロン樹脂やウレタン系樹脂は単独で用いることもできるが、支持体の種類や皮膜に必要とされる性能に応じて、他のバインダー樹脂を併用することもできる。ウレタン系樹脂以外のバインダー樹脂を併用する場合、実用的な皮膜強度を得るためには、前記多孔質層のバインダー樹脂中にウレタン系樹脂を固形分重量比率で３０％以上含有させることが好ましい。
前記バインダー樹脂において、架橋性のものは任意の架橋剤を添加して架橋させることにより、更に皮膜強度を向上させることができる。更には、適宜分散剤や界面活性剤を添加して浸透時間や浸透度合いをコントロールすることができる。
【００２３】
尚、前記多孔質層中には、従来公知の二酸化チタン被覆雲母、酸化鉄−二酸化チタン被覆雲母、酸化鉄被覆雲母、グアニン、絹雲母、塩基性炭酸鉛、酸性砒酸鉛、オキシ塩化ビスマス等の金属光沢顔料の添加や、一般染料や顔料、蛍光染料や蛍光顔料の混在により色変化を多様化することができる。
また、温度変化により可逆的に色変化する汎用の可逆熱変色顔料を混在させて、環境温度によって色変化させることができる。
【００２４】
前記多孔質層は、ベタ印刷状で形成する他、文字、記号、英数字、図柄等の像形態で形成することもできる。
前記多孔質層は、従来公知の手段、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等により形成できる。
【００２５】
更に、前記多孔質層の一部に非吸液層を形成することができる。例えば、シリコーン系、パラフィン系、ポリエチレン系、アルキルエチレン尿素系、フッ素系等の撥水性樹脂から選ばれる樹脂を含む撥水処理液を多孔質層上に適宜形状を形成するよう付着させ、浸透乾燥して非吸液層が得られる。
前記撥水性樹脂のうち、フッ素系撥水剤が、撥水効果及び加工適性の面で効果的であり、固形分として、０．５ｇ／ｍ２〜２５ｇ／ｍ２、好適には、１ｇ／ｍ２〜１５ｇ／ｍ２の範囲の付着量が有効である。
【００２６】
前記非吸液層を多孔質層の一部に配設することにより、非吸液層が設けられた箇所の多孔質層は、撥水効果により吸水状態が形成されず、不透明状態が保持される。従って、常態（非吸水状態）では判別し難い非吸液層と多孔質層が、非吸液層が配設されていない部分の多孔質層への吸水により下層の色相が視認されて判別可能となる。そのため、水が存在する状態では像が現出し、乾燥状態では消失するという、デザイン性に富んだ構成を付与できる。尚、前記様相変化は液体の付着、乾燥により、互変的である。
【００２７】
更に、前記多孔質層や非吸液層の上下層や近傍には非変色層（着色層）を配設、併設することで、デザイン性の向上や、表示情報の多様化を図ることが可能となる。
【００２８】
前記多孔質層を用いた可逆変色体を水分インジケーターとする場合、涼感性布帛に多孔質層を直接印刷することで、布帛部分と多孔質層部分の水の蒸発速度が略一致するため、より正確なインジケーター機能を容易に呈するものとなる。また、水分インジケーターを衣類と別体（着脱式）で形成する場合には、涼感性布帛を着色支持体（基材）とし、その上に多孔質層を積層させることでも同様の機能が付与できる。
【００２９】
別体の水分インジケーターとしては、布帛、皮革、合成皮革、プラスチック、金属等により構成される支持体（それ自体が着色されていなければ着色層を設ける）に、多孔質層を設け、更に必要に応じて非吸液層や非変色層を設けることで作製できる。尚、補強用途や装飾用途として、別部品からなる布帛、皮革、合成皮革、プラスチック、金属等を取り付けたり、縫製処理を施すこともできる。これらは枠部材とすることもできる。
【００３０】
別途作製した水分インジケーターをペット用衣類に取り付ける方法としては、ペット用衣類の表面に縫製又は接着により取り付けたり、ペット用衣類の表面に面ファスナー、ボタン、安全ピン等を用いて着脱自在に取り付けたり、ペット用衣類に透明性を有するポケット部や窓孔部を設け、前記ポケット部内や窓孔部内側に水分インジケーターを収納して外側から視認可能に構成することができる。
前記別体の水分インジケーターを着脱可能に取り付ける構成では、衣類を洗濯する際に取り外すことができるため、水分インジケーターを傷めることなく長期間使用できるものとなる。また、別売による提供も可能となるため、紛失や破損等をした際の再利用性が高い構成となる。
【００３１】
前記ペット用衣類には、ペットの体温、外気温、路面近傍温度、紫外線量等を視覚的に確認できるような他のインジケーターを併用することもでき、ペットの体調管理をより快適に行いうる構成とすることもできる。
【実施例】
【００３２】
本考案のペット用衣類の実施例について図面を用いて説明するが、本考案はこれらに限定されるものではない。尚、図１，２は、ペット用衣類の一例として、衣服形態であるペット用ベストを表す図であり、図３はペット用バンダナを表す図である。
【００３３】
実施例１（図１参照）
衣類２となる涼感性布帛を構成する繊維として、エチレンビニルアルコール樹脂を芯鞘型の複合繊維の鞘成分とし、ポリエチレンテレフタレートを芯成分とし、二軸押し出し機により、芯鞘型構造のマルチフィラメントの原糸を得た（芯／鞘の質量比を４５／５５とした）。前記芯鞘型構造は円形断面であり、芯成分の断面形状は３０個の突起を有する花弁状であり、鞘成分が繊維表面を完全に被覆している構造であった。この原糸をベルト仮撚りによって延伸仮撚を行うことで加工糸とした。前記加工糸と、ポリエステル２ヒーター加工糸を用いて、編み機を使用して二層構造の編物状布帛を作製し、涼感性布帛２１とし、青色染色して使用した。
【００３４】
前記涼感性布帛２１の表面（複合繊維側）に、スクリーン印刷で星型の赤色着色層３２を形成し、その上に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、イソシアネート系架橋剤３部を均一に混合、攪拌してなる白色スクリーン印刷用インキを用いて、星型のスクリーン版にてベタ状印刷し、乾燥硬化させて表示部となる多孔質層３１を形成することで、水分インジケーター３を設けた。
尚、前記多孔質層３１は乾燥状態で白色であり、水を付着させるとその部分の多孔質層３１が透明化して着色層３２がピンク色に視覚される。前記視覚部分は水が未乾燥の状態では保持されており、水が乾燥すると不可視状態となり、元の白色の様相を呈する。
【００３５】
前記涼感性布帛２１をベスト型に裁断し、別パーツからなる装飾部２２とともに縫製することで、ペット用衣類１（犬用ベスト）を得た。尚、前記水分インジケーター３は、衣類外面の背中箇所に位置するように裁断されてベスト形態を構成している。
また、図示はしていないが、前記ベストでは、着用時の留具として四隅の片部に面ファスナーが取り付けられており、ペットに衣類１を着せた後に対向する面ファスナー同士を貼着することで脱げない構造となっている。尚、前記着用留具としては、紐を結ぶものや、ボタンやファスナー等であってもよい。
【００３６】
前記ペット用衣類１（犬用ベスト）に霧吹き等で水を散布して濡らすことで、冷却機能が発現される。その際、涼感性布帛２１に直接印刷される水分インジケーター３にも水を散布することで、多孔質層３１が透明化して白色からピンク色に変化することによって水分吸収状態を示すインジケーター機能を発現する。
前記涼感性布帛２１中に吸収された水が蒸発する際、気化熱による吸熱効果が発揮されるため、着用するペットの体温や近傍の熱を吸熱することで涼感が得られる。そのため、夏場の散歩時等に有用なものとなる。前記現象がベスト形態の衣類２（涼感性布帛２１）全体で起こるため、従来の仕様に比べて効率的な冷却効果を発現することができる。また、布帛２１中の水が蒸発していくのと略同時に、透明化していた多孔質層３１が乾燥されて白色（不透明）に戻っていくため、明瞭なインジケーター機能が発現される。ここで、前記水分インジケーター３は、布帛２１に直接印刷することで設けられるため、タイムラグが極めて少ない状態で機能する。
【００３７】
尚、前記ペット用衣類１では、ペットに着用する前後いずれにおいても水の供給（補給）が可能であり、更に飼い主が補給した水の有無を外側から視覚的に確認することができるため、散歩や遊戯等の最中に水分インジケーター３の変化を確認した場合には、着用状態のままで霧吹き器等を用いて衣類全体を再び水で濡らすことで、再度涼感性を付与することができる。この際、水分インジケーター３も繰り返し機能する。
【００３８】
実施例２（図２参照）
衣類２となる涼感性布帛を構成する繊維として、鞘部の成分としてポリエチレンテレフタレートを使用し、芯部の成分としてポリエチレンテレフタレートと、酸化アンチモンをドーピングした酸化第二スズを酸化チタンにコーティングした白色系微粒子とを９：１で溶融混合した均一の溶融混練物を使用した。前記各成分を芯／鞘の質量比を２０／８０に設定して、三葉断面用の紡糸ノズルを用いて溶融紡糸することで異形断面マルチフィラメント糸を得た。更に、仮撚加工して異形断面仮撚糸とした後、該仮撚糸と、異形異繊度構造を有するポリエステル繊維糸（加工糸）とを用いて、表面に仮撚糸を、裏面に加工糸を配した二層構造の編物状布帛を作製し、涼感性布帛２とした（黄色染色して使用した）。
【００３９】
前記涼感性布帛２１をベスト型に裁断し、別パーツからなる装飾部２２とともに縫製し、外側面（布帛表面）にボタン（留具５）を縫付けることでペット用の衣類２（犬用ベスト）を得た。
尚、図示はしていないが、前記ベスト２では、着用時の留部として四隅の片部に面ファスナーが取り付けられており、ペットに衣類２を着せた後に対向する面ファスナー同士を貼着することで脱げない構造となっている。
【００４０】
これとは別に、白色Ｔ／Ｃブロード（テトロン６５％、コットン３５％）生地を支持体としてその全面に、青色スクリーン印刷用インキを用いてスクリーン版にてベタ印刷することで着色層３２を設けた。
次いで、前記着色層３２上に湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、星型スクリーン版にてベタ印刷し、乾燥硬化させることで多孔質層３１を形成した。
更に、前記多孔質層３１の上に、フッ素樹脂系撥水剤〔商品名：ディックガードＤＦ−３０、大日本化学工業（株）製、固形分１０重量％〕８０部、油性系増粘剤１部、油性系遅乾溶剤１９部を均一に混合攪拌してなる無色透明スクリーン印刷用インキを用いて、大小複数のハート型のスクリーン版にて印刷し、乾燥硬化させることで非吸液層３４を形成した後、これらを積層する支持体を星型に裁断することで可逆変色体を得た。
【００４１】
更に、前記可逆変色体と、留具５に取り付けるための伸縮紐状の留部材４を桃色ポリエステル生地からなる星型の基材３３に載置し、桃色糸で縁部処理を施すことで縫い付け、枠部を有する水分インジケーター３を得た。
尚、前記水分インジケーター３は、多孔質層３１が乾燥状態で白色であり、水を付着させるとその部分の多孔質層３１が透明化して着色層３２が青色に視覚される。その際、非吸液層３４が積層された部分には水が浸透しないため、該部分が白色のハート模様となって視覚された。前記視覚部分は水が未乾燥の状態では保持されており、水が乾燥すると不可視状態となり、元の白色の様相を呈する。
【００４２】
先に作製した衣類２（ベスト）に縫付けられたボタン（留具５）に留部材４を係止し、衣類２と水分インジケーター３を着脱可能に取り付けることでペット用衣類１（犬用ベスト）を得た。尚、前記水分インジケーター３は、ペットが着用した際に、衣類外面の側腹部に位置するように吊下げ取付けされている。
【００４３】
前記ペット用衣類１（犬用ベスト）に霧吹き器等で水を散布して濡らすことで、気化熱を利用した冷却機能が発現される。その際、水分インジケーター３にも水を散布することで、多孔質層３１の一部が透明化して白色面が青色となり、白色ハート図柄が現れることによって、水分吸収状態を示すインジケーター機能を発現する。
前記涼感性布帛２１中に吸収された水が蒸発する際、気化熱による吸熱効果が発揮されるため、着用するペットの体温や近傍の熱を吸熱することで涼感が得られる。そのため、夏場の散歩時等に有用なものとなる。前記現象がベスト形態の衣類２（涼感性布帛２１）全体で起こるため、従来の仕様に比べて効率的な冷却効果を発現することができる。また、布帛２１中の水が蒸発していく際に、多孔質層３１中の水も蒸発して乾燥状態に近づくにつれて白色に戻っていくため、明瞭なインジケーター機能が発現される。尚、ここでは、Ｔ／Ｃブロード生地に多孔質層３１を設けることで水分インジケーター３を構成しているが、前記生地を涼感性布帛２１とすることも可能である。
【００４４】
尚、前記ペット用衣類１では、ペットに着せる前後いずれにおいても水の供給（補給）が可能であり、更に飼い主が布帛に供給した水の有無を外側から視覚的に確認することができるため、散歩や遊戯等の最中に水分インジケーター３の変化を確認した場合には、着用状態のままで霧吹き器等を用いて衣類全体を再び水で濡らすことで、再度涼感性を付与することができる。この際、水分インジケーター３も繰り返し機能する。
また、図２のように、ベスト（衣類２）から水分インジケーター３を取り外すことが可能であるため、洗濯をする際には衣類２のみを洗濯でき、長期使用による水分インジケーター３の劣化が生じ難いものとなる。
【００４５】
実施例３（図３参照）
涼感性布帛を構成する繊維として、実施例２に用いた繊維を、白色系微粒子として酸化アンチモンをドーピングした酸化第二スズとし、溶融混合比率を８：２とし、芯／鞘の質量比率を４０／６０とした以外は同様の構成に設定して涼感性布帛２を得た。
【００４６】
前記涼感性布帛２１をバンダナ型に裁断し、別パーツからなる装飾部２２とともに縫製し、着用時外側となる部分に面ファスナー（留具５）を接着することでペット用の衣類２（バンダナ）を得た。
【００４７】
これとは別に、実施例２で作製した可逆変色体を、裏面に留部材４となる面ファスナーを設けたポリエステル生地からなる星型の基材３３の表面に載置し、赤色糸で縁部処理を施すことで縫い付けて枠部を有する水分インジケーター３を得た。
尚、前記水分インジケーター３は、多孔質層３１が乾燥状態で白色であり、水を付着させるとその部分の多孔質層３１が透明化して下層の着色層３２が青色に視覚される。その際、非吸液層３４が積層された部分には水が浸透しないため、該部分が白色のハート模様となって視覚された。前記視覚部分は水が未乾燥の状態では保持されており、水が乾燥すると不可視状態となり、元の白色の様相を呈する。
【００４８】
先に作製した衣類２（バンダナ）の留具５（面ファスナー）に留部材４を貼着し、衣類２と水分インジケーター３を着脱可能に取り付けることでペット用衣類１（犬用バンダナ）を得た。尚、前記水分インジケーター３は、ペットが着用した際に、衣類外面の中央部に位置するように取り付けられている。
【００４９】
前記ペット用衣類１（犬用バンダナ）に霧吹き等で水を散布させて濡らすことで、気化熱を利用した冷却機能が発現される。その際、水分インジケーター３にも水を散布することで、多孔質層３１が部分的に透明化して白色面が青色となり、白色のハート図柄が現れることによって、水分吸収状態を示すインジケーター機能を発現する。
前記涼感性布帛２１中に吸収された水が蒸発する際、気化熱による吸熱効果が発揮されるため、
着用するペットの体温や近傍の熱を吸熱することで涼感が得られる。そのため、夏場の散歩時等に有用なものとなる。前記現象がバンダナ２（涼感性布帛２１）全体で起こるため、従来の仕様に比べて効率的な冷却効果を発現することができる。また、布帛２１中の水が蒸発していく際に、多孔質層３１中の水も蒸発して乾燥状態に近づくにつれて白色に戻っていくため、明瞭なインジケーター機能が発現される。尚、ここでは、Ｔ／Ｃブロード生地に多孔質層３１を設けることで水分インジケーター３を構成しているが、前記生地を涼感性布帛２１とすることも可能である。
【００５０】
尚、前記バンダナ形態のペット用衣類１では、ペットに着用する前後いずれにおいても水の供給（補給）が可能であり、更に飼い主が補給した水の有無を外側から視覚的に確認することができるため、散歩や遊戯等の最中に水分インジケーター３の変化を確認した場合には、着用状態のままで霧吹き器等を用いて衣類全体を再び水で濡らすことで、再度涼感性を付与することができる。この際、水分インジケーター３も繰り返し機能する。
また、図３のように、バンダナ（衣類２）から水分インジケーター３を取り外すことが可能であるため、洗濯をする際には衣類２のみを洗濯でき、長期使用による水分インジケーター３の劣化が生じ難いものとなる。
【符号の説明】
【００５１】
１  ペット用衣類
２  衣類（ベスト、バンダナ）
２１  涼感性布帛
２２  装飾部
３  水分インジケーター
３１  多孔質層（表示部）
３２  着色層
３３  基材（枠部）
３４  非吸液層
４  留部材
５  留具
【図１】
0003209736.tif 000003
【図２】
0003209736.tif 000004
【図３】
0003209736.tif 000005